(57)【要約】      （修正有）【課題】マッサージしようとする部位が見つけられ易く、構造が簡単であり、コストが低い、日常保健として使用される、ユーザが自ら背中の各処をマッサージできる携帯型マッサージツールを提供する、【解決手段】中央部材１２と、湾曲状又は弧状を呈し、それぞれ中央部材の両端から延び出して中央部材と弓状構造を構成し、両手に体の側面又は前方に対して把持される第一及び第二の把持部材１６ａ、１６ｂと、中央部材に設けられ、体をマッサージするためのマッサージヘッド２０と、を備える弓型マッサージ器である。弓型マッサージ器は、両手が体の側面又は前方で加える力により弓型マッサージ器が操作される。【選択図】図２
2014226559.tif 000002
【特許請求の範囲】
【請求項１】
中央部材と、
湾曲状又は弧状を呈し、それぞれ前記中央部材の両端から延び出して前記中央部材と弓状構造を構成し、両手に体の側面又は前方に対して把持される第一及び第二の把持部材と、
前記中央部材に設けられ、体をマッサージするためのマッサージヘッドと、
を備える弓型マッサージ器。
【請求項２】
前記中央部材に貫通孔が形成され、前記マッサージヘッドのボトムにめねじを有する穴が形成され、ねじが前記中央部材の貫通孔を通り抜けて前記マッサージヘッドのめねじを有する穴と螺合することにより、前記マッサージヘッドが前記中央部材に固定される請求項１記載の弓型マッサージ器。
【請求項３】
前記中央部材に貫通孔が形成され、前記マッサージヘッドのボトムにねじが設けられ、前記マッサージヘッドの前記ねじが前記中央部材の貫通孔を通り抜けてナットと螺合することにより、前記マッサージヘッドが前記中央部材に固定される請求項１記載の弓型マッサージ器。
【請求項４】
中央部材と、
湾曲状又は弧状を呈し、それぞれ前記中央部材の両端にスリーブ設置され、前記中央部材と弓状構造を構成し、両手に体の側面又は前方に対して把持される第一及び第二の把持部材と、
前記中央部材の中間位置にスリーブ設置されている台座と、
前記台座に設けられ、体をマッサージするためのマッサージヘッドと、
を備える弓型マッサージ器。
【請求項５】
前記中央部材の両端部にねじ穴が形成され、前記第一及び第二の把持部材の一端部に少なくとも一つの窪みが形成され、前記第一及び第二の把持部材の前記一端部がそれぞれ前記中央部材の両端部内にスリーブ設置されており、ねじが前記中央部材の両端部の前記ねじ穴に捩じ込まれ、捩じ込まれた前記ねじが前記第一及び第二の把持部材の窪みに押し付けられることにより、前記中央部材と前記第一及び第二の把持部材とが固定接続される請求項４記載の弓型マッサージ器。
【請求項６】
前記台座に開口及びねじ穴が形成され、前記マッサージヘッドが前記台座の前記開口に設置され、ねじが前記台座の前記ねじ穴に捩じ込まれ、捩じ込まれた前記ねじが前記マッサージヘッドに押し付けられることにより、前記台座と前記マッサージヘッドとが固定接続される請求項４記載の弓型マッサージ器。
【請求項７】
前記中央部材は炭素繊維、ブラスチック、軽質金属、木質及び竹質のいずれか一種の材料を採用する請求項１又は４記載の弓型マッサージ器。
【請求項８】
前記第一及び第二の把持部材は炭素繊維、ブラスチック、軽質金属、木質及び竹質のいずれか一種の材料を採用する請求項１又は４記載の弓型マッサージ器。
【請求項９】
前記台座は炭素繊維、ブラスチック、軽質金属、木質及び竹質のいずれか一種の材料を採用する請求項４記載の弓型マッサージ器。
【請求項１０】
前記マッサージヘッドは炭素繊維、ブラスチック、軽質金属、木質、竹質、石、牛の角及び象牙のいずれか一種の材料を採用する請求項１又は４記載の弓型マッサージ器。
【請求項１１】
前記マッサージヘッドは電動マッサージヘッドである請求項４記載の弓型マッサージ器。
【発明の詳細な説明】
【技術分野】
【０００１】
本発明はマッサージ器に関し、特に体のマッサージに用いられる弓型マッサージ器に関する。
【背景技術】
【０００２】
人体は、緊張と疲労の反応のため、不眠又は筋肉痛等の各種の問題を引き起こし易く、伝統的な漢方医学技術によると、人体の各処に分布している各種のつぼが各種の器官の反応を制御できることが既に証明された。したがって、つぼに対する押さえ又は揉みにより、筋骨を解す効果を確実に達成でき、また、つぼに対するマッサージは、血液循環を促進し、新陳代謝を速め、体内の毒素を排出して免疫力を増強することもできるので、疲労を解消し、圧力を軽減することができ、ひいては、体型補正とダイエットに役たち、成長ホルモンの分泌を刺激すること等の多くの利点を有する。
【０００３】
このため、従来の各種のマッサージ用具は、人体の異なる部位（つぼ）を押さえ、揉むための補助を提供するように設計され、例えば通常の顆粒状、ロール付き又は各種の形状のマッサージ棒、たたき棒、マッサージボールがあり、ひいては、高価の電動マッサージチェア等の応用を含み、それらの使用目的はいずれもマッサージの保健効果の取得にある。
【０００４】
電動マッサージチェアは、全身マッサージの効果を実現できるが、体積が大きく、携帯し難く、移動が不便であり、且つ、個人のニーズに応じて固定点、固定時間、固定方向、固定力になるように適当でリアルタイムな調整をすることができない。マッサージ棒、たたき棒又はマッサージボールは、体積が小さく携帯が便利であるが、自ら操作する時に背中の各処をマッサージすることが困難であり、或いは、片手で操作する時にマッサージする力が足りなくてマッサージの効果を達成できない。壁に置かれ、体が後ろに寄りかかる力により押さえるマッサージ器もあるが、体を揺れ動かす必要があり、不自然であり、且つ、位置を変更してマッサージする度に改めて位置決めしなければならないので便利ではなく、そこで、マッサージの効果が良くない。
【０００５】
図１は従来のマッサージ器を使用して体をマッサージしている模式図である。図１において、Ｓ形を呈するマッサージ器１００は、その本体１０２に複数のマッサージ点１０４が形成され、体の異なる部位をマッサージしようとすると、本体１０２の異なる位置にあるマッサージ点によりマッサージを行い、本体１０２に、ユーザに把持されマッサージ器１００を操作して体の各部位に対してマッサージするように、補助レバー１０６も形成されている。しかし、Ｓ形を呈するマッサージ器１００は、携帯型マッサージ器として構造が複雑であり、操作が不便で、且つコストも高い。
【発明の概要】
【発明が解決しようとする課題】
【０００６】
これに鑑み、本発明は、日常保健として使用されるように、ユーザが自ら背中の各処をマッサージできる携帯型マッサージツールであり、両手が体の側面又は前方で加える力により操作され、肩、首、背、腰、尻及び太ももの後ろ側等を含む体の背中におけるマッサージしようとする部位を十分な力で有効的にマッサージすることができるとともに、マッサージしようとする部位が正確に見つけられやすく、体を揺れ動かすことなく両手を揺れ動かすので操作上で非常に便利であり、且つ構造が簡単であり、コストが低い弓型マッサージ器を提供する。本発明は弓型であり、ハンドルが外に向かって湾曲しているので、操作時に体に触って邪魔になることがない。同時に、把持部と弓体中央とが平行であるので前方に付勢し易いので、体を押さえる力が大きい。前記Ｓ型マッサージ器は、一つの方向の水平揉みではないと体の異なる部位を押さえることができないので、使用時に、いつもＳ型マッサージ器を体の前方に移動し、マッサージヘッドを選定した後に更に体の後方に移動してからマッサージする必要があるので、非常に不便である。これに対して、本発明では、一つのマッサージヘッドを固定して使用し、前記Ｓ型マッサージ器のように面又は異なる位置のマッサージヘッドをしきりに変える必要がなく、一つのマッサージヘッドを弓型マッサージ器の中央に固定し、両手が弓型マッサージ器の両端で付勢し、任意方向の水平揉みを行い易い。
【課題を解決するための手段】
【０００７】
本発明は、中央部材と、湾曲状又は弧状を呈し、それぞれ前記中央部材の両端から延び出して前記中央部材と弓状構造を構成し、両手に体の側面又は前方に対して把持される第一及び第二の把持部材と、前記中央部材に設けられ、体をマッサージするためのマッサージヘッドと、を備える弓型マッサージ器を提供する。
【図面の簡単な説明】
【０００８】
【図１】従来のマッサージ器を使用して体をマッサージしている模式図である。
【図２】本発明の第一の実施例にかかる弓型マッサージ器の模式図である。
【図３】図２の線ＩＩ−ＩＩ断面線に沿う断面図である。
【図４】図２における丸Ａの範囲の部分拡大図である。
【図５】本発明の第二の実施例にかかる弓型マッサージ器の模式図である。
【図６】本発明の第三の実施例にかかる弓型マッサージ器の模式図である。
【図７】図６の線ＶＩ−ＶＩ断面線に沿う断面図である。
【図８】本発明の第四の実施例にかかる弓型マッサージ器の模式図である。
【発明を実施するための形態】
【０００９】
以下のいくつかの実施例を参照し、本発明の弓型マッサージ器の実施態様を説明する。
【００１０】
図２は本発明の第一の実施例にかかる弓型マッサージ器の模式図である。図２において、弓型マッサージ器１０は、中央部材１２と、右把持部材１６ａと、左把持部材１６ｂと、台座１８と、マッサージヘッド２０とを備える。
【００１１】
湾曲状を呈する右把持部材１６ａは中央部材１２の一端部のスリーブ接続部１４ａで中央部材１２とスリーブ接続されており、湾曲状を呈する左把持部材１６ｂは中央部材１２の他の端部のスリーブ接続部１４ｂで中央部材１２とスリーブ接続されている。右把持部材１６ａと左把持部材１６ｂは中央部材１２の両端にスリーブ接続されて弓状の弓型マッサージ器１０が構成され、両手が体の側面又は前方に対して右把持部材１６ａ及び左把持部材１６ｂを把持することができるようになる。
【００１２】
中央部材１２、右把持部材１６ａ、左把持部材１６ｂ及び台座１８等は、炭素繊維、ブラスチック、軽質金属、木質又は竹質の材料、或いはマッサージ器に応用される公知の材料を採用する。マッサージヘッド２０は、炭素繊維、ブラスチック、軽質金属、木質、竹質、石、牛の角又は象牙の材料、或いはマッサージ器のマッサージヘッドに応用される公知の材料を採用する。
【００１３】
図３は図２の線ＩＩ−ＩＩ断面線に沿う断面図である。図３において、台座１８は中央部材１２の中間位置にスリーブ設置されているが、真ん中の位置に限定されず、中央部材１２における台座１８がスリーブ設置された位置を左又は右に調整することができる。マッサージヘッド２０は台座１８に装着されており、体をマッサージするためのものである。
【００１４】
台座１８に、開口及びねじ穴が形成されており、マッサージヘッド２０が台座１８の開口に設置され、ねじ２２が台座１８のねじ穴に捩じ込まれ、捩じ込まれたねじ２２がマッサージヘッド２０に押し付けられることにより、台座１８とマッサージヘッド２０とが固定接続される。
【００１５】
他の実施例において、マッサージヘッド２０として従来の電動マッサージヘッドを使用し、台座１８に設置することができ、電動マッサージヘッドを体に押さえると、電動マッサージヘッドが自動的に体をマッサージすることになり、これにより、弓型マッサージ器の操作は更に簡便で省力になる。
【００１６】
図４は図２における丸Ａ範囲の部分拡大図である。図４において、右把持部材１６ａは中央部材１２のスリーブ接続部１４ａにスリーブ設置され、即ち、中央部材１２のスリーブ接続部１４ａにねじ穴が形成され、右把持部材１６ａの一端部に少なくとも一つの窪み２６が形成され、右把持部材１６ａの端部は中央部材１２のスリーブ接続部１４ａ内にスリーブ設置され、ねじ２４が中央部材１２のスリーブ接続部１４ａのねじ穴に捩じ込まれ、捩じ込まれたねじ２４が右把持部材１６ａの窪み２６に押し付けられることにより、中央部材１２と右把持部材１６ａとが固定接続される。左把持部材１６ｂと中央部材１２とのスリーブ接続方式は右把持部材１６ａと中央部材１２とのスリーブ接続方式と同様であるので、ここでその説明を省略することにする。
【００１７】
マッサージとは、文字通り、押さえ（体の表面と垂直な力）と揉み（体の表面と水平な力）を含む二つの方向の運動であり、両手を利用してこそ背中の固定点に対して押さえと揉みの動作を同時に行える。本発明の弓型マッサージ器１０の右把持部材１６ａ及び左把持部材１６ｂは湾曲状を呈し、両手が体の側面又は前方に対して右把持部材１６ａ及び左把持部材１６ｂを把持し、これにより、両手が弓型マッサージ器１０に付勢し易く、手を体の後ろに引っ張って付勢する必要がない。
【００１８】
弓状を呈する前記弓型マッサージ器１０の構造のように、両手で右把持部材１６ａ及び左把持部材１６ｂを把持し、且つ、両手により、マッサージしようとする体の部位に従って体に対する弓型マッサージ器１０の位置と角度を調整し、両手で弓型マッサージ器１０を便利に操作でき、且つ、両手が加える力がマッサージヘッド２０に集中し、マッサージヘッド２０によりマッサージの効果を有効的に実現できる。また、弓状を呈する弓型マッサージ器１０は、構造が簡単であり、操作も非常に便利である。
【００１９】
図５は本発明の第二の実施例にかかる弓型マッサージ器の模式図である。図５において、第二の実施例にかかる弓型マッサージ器３０の構造と第一の実施例にかかる弓型マッサージ器１０の構造との差異は、弓状を呈する弓型マッサージ器３０の右把持部材３２ａ及び左把持部材３２ｂが弧状を呈する構造であることにあり、弓型マッサージ器３０の他の構造及び達成した効果は第一の実施例にかかる弓型マッサージ器１０と同様であるので、ここでその説明を省略する。
【００２０】
図６は本発明の第三の実施例にかかる弓型マッサージ器の模式図である。図６において、弓型マッサージ器４０は、中央部材４２と、右把持部材４６ａと、左把持部材４６ｂと、マッサージヘッド５０とを備える。
【００２１】
中央部材４２の両端から、湾曲状を呈する右把持部材４６ａ及び左把持部材４６ｂがそれぞれ延び出しており、これにより、右把持部材４６ａ及び左把持部材４６ｂと中央部材４２とは弓状の弓型マッサージ器４０を一体成形に構成し、両手が体の側面又は前方に対して右把持部材４６ａ及び左把持部材４６ｂを把持できる。
【００２２】
第三の実施例における中央部材４２、右把持部材４６ａ、左把持部材４６ｂ及びマッサージヘッド５０に使用される材料は、第一の実施例における中央部材１２、右把持部材１６ａ、左把持部材１６ｂ及びマッサージヘッド２０に使用される材料と同じであるので、ここでその説明を省略する。
【００２３】
図７は図６の線ＶＩ−ＶＩ断面線に沿う断面図である。図７において、中央部材４２に貫通孔５２が形成され、マッサージヘッド５０のボトムにめねじを有する穴５４が形成され、ねじ４８が中央部材４２の貫通孔５２を通り抜けてマッサージヘッド５０のめねじを有する穴５４と螺合することにより、マッサージヘッド５０が中央部材４２に固定される。マッサージヘッド５０は体をマッサージするためのものである。
【００２４】
他の実施例において、中央部材に貫通孔が形成され、マッサージヘッドのボトムにねじが設けられ、マッサージヘッドのねじが中央部材の貫通孔を通り抜けてナットと螺合することにより、マッサージヘッドが中央部材に固定される。
【００２５】
また他の実施例において、マッサージヘッドと中央部材とは一体成形される。
【００２６】
第三の実施例にかかる弓型マッサージ器４０の操作方式及び達成した効果は第一の実施例にかかる弓型マッサージ器１０の操作方式及び達成した効果と同じであるので、ここでその説明を省略する。
【００２７】
図８は本発明の第四の実施例にかかる弓型マッサージ器の模式図である。図８において、第四の実施例にかかる弓型マッサージ器６０の構造と第三の実施例にかかる弓型マッサージ器４０の構造との差異は、弓状を呈する弓型マッサージ器６０の右把持部材６２ａ及び左把持部材６２ｂが弧状を呈する構造であることにあり、弓型マッサージ器６０の他の構造及び達成した効果は第三の実施例にかかる弓型マッサージ器４０と同様であるので、ここでその説明を省略する。
【００２８】
本発明は、日常保健として使用されるように、ユーザが自ら背中の各処をマッサージできる携帯型マッサージツールであり、両手が体の側面又は前方で加える力により操作され、マッサージヘッドにより、肩、首、背、腰、尻及び太ももの後ろ側等を含む体の背中におけるマッサージしようとする部位を十分な力で有効的にマッサージすることができるとともに、マッサージしようとする部位が正確に見つけられやすく、体を揺れ動かすことなく両手を揺れ動かすので操作上で非常に便利であり、且つ構造が簡単であり、コストが低いことを優位性とする弓型マッサージ器を提供する。
【００２９】
本発明は既に好ましい具体例及び例示的添付図面を参照して以上のように説明されたが、限定的なものと見なされるべきではない。本技術を熟知する者がその形態及び具体例の内容に対して行った各種の修正、省略及び変更は、いずれも本発明の特許請求の範囲が主張する範囲から逸脱することはない。
【符号の説明】
【００３０】
１０  ：  弓型マッサージ器
１２  ：  中央部材
１４ａ  ：  スリーブ接続部
１４ｂ  ：  スリーブ接続部
１６ａ  ：  右把持部材
１６ｂ  ：  左把持部材
１８  ：  台座
２０  ：  マッサージヘッド
２２  ：  ねじ
２４  ：  ねじ
２６  ：  窪み
３０  ：  弓型マッサージ器
３２ａ  ：  右把持部材
３２ｂ  ：  左把持部材
４０  ：  弓型マッサージ器
４２  ：  中央部材
４６ａ  ：  右把持部材
４６ｂ  ：  左把持部材
４８  ：  ねじ
５０  ：  マッサージヘッド
５２  ：  貫通孔
５４  ：  穴
１００  ：  マッサージ器
１０２  ：  本体
１０４  ：  マッサージ点
１０６  ：  補助レバー
【図１】
2014226559.tif 000003
【図２】
2014226559.tif 000004
【図３】
2014226559.tif 000005
【図４】
2014226559.tif 000006
【図５】
2014226559.tif 000007
【図６】
2014226559.tif 000008
【図７】
2014226559.tif 000009
【図８】
2014226559.tif 000010
【外国語明細書】
2014226559000001.pdf